(57)【要約】【課題】一回のブラッシング洗浄によって大きな汚物から小さな汚物まで効率よく除去することができる洗浄効率のよい内視鏡用洗浄ブラシを提供すること。【解決手段】撚り合わされた二本の硬質ワイヤ２の間に多数のブラシ毛１ａ，１ｂを挟み込んで形成された植毛部１０ａ，１０ｂが可撓軸３の先端に設けられた内視鏡用洗浄ブラシにおいて、植毛部１０ａ，１０ｂとして、ブラシ毛１ａ，１ｂの繊維径が相違する第１の植毛部１０ａと第２の植毛部１０ｂとを直列に連結して設け、ブラシ毛１ｂの繊維径が小さい方の植毛部１０ｂの植毛密度をブラシ毛１ａの繊維径が大きい方の植毛部１０ａの植毛密度より大きくした。【選択図】      図１
2005046287.tif 000002
【特許請求の範囲】
【請求項１】
撚り合わされた二本の硬質ワイヤの間に多数のブラシ毛を挟み込んで形成された植毛部が可撓軸の先端に設けられた内視鏡用洗浄ブラシにおいて、
上記植毛部として、上記ブラシ毛の繊維径が相違する第１の植毛部と第２の植毛部とを直列に連結して設け、上記ブラシ毛の繊維径が小さい方の植毛部の植毛密度を上記ブラシ毛の繊維径が大きい方の植毛部の植毛密度より大きくしたことを特徴とする内視鏡用洗浄ブラシ。
【請求項２】
上記第１の植毛部と上記第２の植毛部の植毛密度の比率が、上記第１の植毛部と上記第２の植毛部の各ブラシ毛の繊維径の比率と略反比例の関係にある請求項１記載の内視鏡用洗浄ブラシ。
【請求項３】
上記第１の植毛部と上記第２の植毛部のうち、繊維径が太い方の植毛部が先端側に設けられている請求項１又は２記載の内視鏡用洗浄ブラシ。
【請求項４】
上記第１の植毛部と上記第２の植毛部とが間隔をあけて連結されている請求項１、２又は３記載の内視鏡用洗浄ブラシ。
【発明の詳細な説明】
【技術分野】
【０００１】
この発明は、内視鏡の処置具挿通チャンネル内等をブラッシング洗浄するために用いられる内視鏡用洗浄ブラシに関する。
【背景技術】
【０００２】
内視鏡用洗浄ブラシは一般に、撚り合わされた二本の硬質ワイヤの間に多数のブラシ毛を挟み込んで形成された植毛部が可撓軸の先端に設けられた構成になっている（例えば、特許文献１）。
【特許文献１】特開平１１−１６９３３４号公報
【発明の開示】
【発明が解決しようとする課題】
【０００３】
内視鏡の処置具挿通チャンネル内の管壁に付着した汚物等を内視鏡用洗浄ブラシでブラッシング洗浄して除去するためには、ブラシ毛が管壁への汚物の付着力に負けないだけの腰の強さを有している必要があり、そのためには、ブラシ毛が一定以上の太さの繊維径を有している必要がある。
【０００４】
しかし、ブラシ毛の繊維径が大きくなればなるほど、それに比例してブラシ毛の植毛密度が粗になるので、小さな汚物がブラシ毛の隙間をくぐり抜けて十分なブラッシング洗浄を行うことができないケースが発生する。
【０００５】
そこで本発明は、一回のブラッシング洗浄によって大きな汚物から小さな汚物まで効率よく除去することができる洗浄効率のよい内視鏡用洗浄ブラシを提供することを目的とする。
【課題を解決するための手段】
【０００６】
上記の目的を達成するため、本発明の内視鏡用洗浄ブラシは、撚り合わされた二本の硬質ワイヤの間に多数のブラシ毛を挟み込んで形成された植毛部が可撓軸の先端に設けられた内視鏡用洗浄ブラシにおいて、植毛部として、ブラシ毛の繊維径が相違する第１の植毛部と第２の植毛部とを直列に連結して設け、ブラシ毛の繊維径が小さい方の植毛部の植毛密度をブラシ毛の繊維径が大きい方の植毛部の植毛密度より大きくしたものである。
【０００７】
なお、第１の植毛部と第２の植毛部の植毛密度の比率が、第１の植毛部と第２の植毛部の各ブラシ毛の繊維径の比率と略反比例の関係にあるとよく、第１の植毛部と第２の植毛部のうち、繊維径が太い方の植毛部が先端側に設けられているとよい。また、第１の植毛部と第２の植毛部とが間隔をあけて連結されていてもよい。
【発明の効果】
【０００８】
本発明によれば、植毛部として、ブラシ毛の繊維径が相違する第１の植毛部と第２の植毛部とを直列に連結して設け、ブラシ毛の繊維径が小さい方の植毛部の植毛密度をブラシ毛の繊維径が大きい方の植毛部の植毛密度より大きくしたことにより、繊維径の大きな方の植毛部で大きな汚物がブラッシング対象壁からはぎ取られて掻き出され、繊維径の小さな方の植毛部で小さな汚物が掻き出されるので、一回のブラッシング洗浄により大きな汚物から小さな汚物まで効率よく除去することができる。
【発明を実施するための最良の形態】
【０００９】
繊維径の太いブラシ毛が植毛された第１の植毛部を可撓軸の先端に取り付け、その後側に、繊維径の細いブラシ毛が植毛された第２の植毛部を直列に連結する。各植毛部の植毛密度はブラシ毛の繊維径に対して略反比例させる。
【実施例】
【００１０】
図面を参照して本発明の実施例を説明する。
図４は内視鏡用洗浄ブラシの全体構成を示しており、多数のブラシ毛１ａ，１ｂが放射状に取り付けられたブラシ軸２が、内視鏡の処置具挿通チャンネル等に挿脱される可撓軸３の先端に取り付けられている。
【００１１】
ブラシ軸２は、二本のステンレス鋼線等のような硬質ワイヤを撚り合わせたものであり、その撚り合わせ部分に例えばポリアミド樹脂等のような軟質の合成樹脂材からなる多数の繊維状のブラシ毛１ａ，１ｂが抜けないようにきつく挟み込まれて、第１と第２の植毛部１０ａ，１０ｂが形成されている。
【００１２】
図１は、第１と第２の植毛部１０ａ，１０ｂを示しており、先端側に位置する第１の植毛部１０ａにおいては例えば繊維径が０．１ｍｍのブラシ毛１ｂが用いられ、その後側に位置する第２の植毛部１０ｂにおいては例えば繊維径が０．０５ｍｍのブラシ毛１ｂが用いられている。
【００１３】
その結果、第１と第２の植毛部１０ａ，１０ｂを拡大して示す図２（側面図）と図３（正面図）にも略示されるように、第２の植毛部１０ｂにおいては第１の植毛部１０ａの約２倍の密度でブラシ毛１ｂが植毛されている。このように、第１の植毛部１０ａと第２の植毛部１０ｂの植毛密度の比率は、各ブラシ毛１ａ，１ｂの繊維径の比率と略反比例の関係にするとよい。
【００１４】
図５は、このようにして太い繊維径のブラシ毛１ａが取り付けられた第１の植毛部１０ａと細い繊維径のブラシ毛１ｂが取り付けられた第２の植毛部１０ｂとが可撓軸３の先端部分に直列に連結された構成の内視鏡用洗浄ブラシにより、内視鏡の処置具挿通チャンネル内のブラッシング洗浄をしている状態を示している。
【００１５】
先側に設けられた第１の植毛部１０ａの太いブラシ毛１ａがブラッシング対象壁５０に擦り付けられながら移動することにより、大きな汚物１００がブラッシング対象壁５０からはぎ取られて掻き出される。
【００１６】
そして、第１の植毛部１０ａのブラシ毛１ａの粗い隙間をくぐり抜けるような小さな汚物２００は第２の植毛部１０ｂのブラシ毛１ｂにより掻き出されるので、一回のブラッシング洗浄で高い洗浄効果を得ることができる。
【００１７】
なお、本発明は上記実施例に限定されるものではなく、例えば各植毛部１０ａ，１０ｂの繊維径等は任意であり、ブラシ毛の繊維径が小さい方の植毛部の植毛密度をブラシ毛の繊維径が大きい方の植毛部の植毛密度より大きくすればよい。
【００１８】
また、上記実施例とは逆に、後側に位置する第２の植毛部１０ｂのブラシ毛１ｂの繊維径を先端側に位置する第１の植毛部１０ａのブラシ毛１ａの繊維径より太くしてもよく、図６に示されるように、第１の植毛部１０ａと第２の植毛部１０ｂとを隙間をあけて連結してもよい。
【００１９】
また、第１と第２の植毛部１０ａ，１０ｂに加えてさらに、第３或いは第４の植毛部を直列に連結してもよく、その場合に、各植毛部の繊維径を、太−細−太の順にしてもよく、或いは、細−太−細の順にしてもよい。
【図面の簡単な説明】
【００２０】
【図１】本発明の実施例の内視鏡用洗浄ブラシの植毛部の側面略示図である。
【図２】本発明の実施例の内視鏡用洗浄ブラシの植毛部の部分拡大側面略示図である。
【図３】本発明の実施例の内視鏡用洗浄ブラシの植毛部の部分拡大正面略示図である。
【図４】本発明の実施例の内視鏡用洗浄ブラシの全体構成図である。
【図５】本発明の実施例の内視鏡用洗浄ブラシの使用状態を示す略示図である。
【図６】本発明の他の実施例の内視鏡用洗浄ブラシの植毛部の側面略示図である。
【符号の説明】
【００２１】
１ａ，１ｂ  ブラシ毛
２  ブラシ軸（硬質ワイヤ）
３  可撓軸
１０ａ，１０ｂ  植毛部
５０  ブラッシング対象壁
１００，２００  汚物
【図１】
2005046287.tif 000003
【図２】
2005046287.tif 000004
【図３】
2005046287.tif 000005
【図４】
2005046287.tif 000006
【図５】
2005046287.tif 000007
【図６】
2005046287.tif 000008